(57)【要約】【課題】記録媒体切断片の分別スタック可能状態へのセッティングを簡単な動作で実現可能とし、さらにスタック部に至る切断片用通路に引っ掛かった切断片やスタック部の満載時の切断片を移動させられるようにする。【解決手段】排紙スタック部材３が排紙位置にあるときに、排紙スタック部材３により切断片用通路が形成され、当該切断片用通路を通って第２の長さの切断片８ｂが第２排紙スタック部１ａに収納される。排紙スタック部材３を移動させることにより、排紙スタック部材３に設けられた切断片移動部３ｅが、使用状態で形成されていた第２排紙スタック部１ａへ至る切断片用通路を構成する空間を通過して、切断片用通路に滞留した第２の長さの切断片８ｂを掻き落とすことができる。【選択図】図５
2012081697.tif 000002
【特許請求の範囲】
【請求項１】
装置本体と、
前記装置本体内で記録媒体を搬送する搬送手段と、
前記装置本体内で前記記録媒体に画像を記録する記録手段と、
前記記録媒体を切断するための切断手段と、
第１の長さで切断された前記記録媒体の切断片を保持するための第１排紙スタック部を有し、前記装置本体に移動可能に支持された排紙スタック部材と、
前記装置本体に設けられた、第２の長さで切断された前記記録媒体の切断片を収納するための第２排紙スタック部とを備え、
前記排紙スタック部材が排紙位置にあるときに、前記排紙スタック部材により切断片用通路が形成され、前記切断片用通路を通って前記第２の長さの切断片が前記第２排紙スタック部に収納され、
前記排紙スタック部材を移動させることにより、前記排紙スタック部材に設けられた切断片移動部が、前記切断片用通路を構成する空間及び前記第２排紙スタック部のうち少なくともいずれかを通過して前記第２の長さの切断片を移動させる構成にしたことを特徴とする画像記録装置。
【請求項２】
前記切断片移動部は、前記切断片用通路を構成する空間に滞留した前記第２の長さの切断片を掻き落とすことを特徴とする請求項１に記載の画像記録装置。
【請求項３】
前記切断片移動部は、前記第２排紙スタック部に積載された前記第２の長さの切断片を圧縮することを特徴とする請求項１に記載の画像記録装置。
【請求項４】
前記切断片移動部は、前記第２排紙スタック部に積載された前記第２の長さの切断片を外部に排出することを特徴とする請求項１に記載の画像記録装置。
【請求項５】
排紙位置にある前記排紙スタック部材の一部を境に重力方向上に前記第１排紙スタック部、重力方向下に前記第２排紙スタック部が配置されることを特徴とする請求項１乃至４のいずれか１項に記載の画像記録装置。
【請求項６】
前記切断片移動部は前記排紙スタック部材に一体部品として形成されていることを特徴とする請求項１乃至５のいずれか１項に記載の画像記録装置。
【請求項７】
前記排紙スタック部材には、排紙位置にあるときに前記第１排紙スタック部と前記第２排紙スタック部とを連通する穴又は切欠きが形成されていることを特徴とする請求項１乃至６のいずれか１項に記載の画像記録装置。
【請求項８】
前記排紙スタック部材は、伸縮部材及び前記伸縮部材を付勢する付勢部材を具備しており、
前記排紙スタック部材の移動に伴って前記伸縮部材が伸縮して、前記伸縮部材が前記切断片移動部として前記第２排紙スタック部の底面を通過することを特徴とする請求項１に記載の画像記録装置。
【請求項９】
前記装置本体は前記排紙スタック部材の移動に伴って前記伸縮部材を伸縮させるガイド部を備え、前記ガイド部は、排紙位置にある前記排紙スタック部材を係止する係止部を有することを特徴とする請求項８に記載の画像記録装置。
【請求項１０】
前記排紙スタック部材の移動は手動であることを特徴とする請求項１乃至９のいずれか１項に記載の画像記録装置。
【請求項１１】
前記第１の長さは前記第２の長さ以上であることを特徴とする請求項１乃至１０のいずれか１項に記載の画像記録装置。
【発明の詳細な説明】
【技術分野】
【０００１】
本発明は、記録媒体を切断手段で切断して複数の切断片とし、これら切断片を別々の排紙スタック部に分別スタック可能とした画像記録装置に関する。
【背景技術】
【０００２】
カード状の印刷記録媒体やロール状に巻かれた印刷記録媒体を、カッタ等の切断手段により幅は等しいが長さの異なる切断片として切り出して、これら切断片を別々の排紙スタック部に分別スタック可能とした画像記録装置が提案されている。
【０００３】
切断片を分別スタックさせる目的は、使用者が長尺写真部と短尺屑部の仕分け作業がやり易いようにするためである。すなわち、一般的には長さの異なる切断片、例えば長尺に切断された写真部と、短尺に切断された屑部等を混載させてスタックさせるよりも、プリンタ自体で切断片長さ毎に分別スタックさせた方が仕分け作業やり易くなる。
【０００４】
特許文献１には、カットオートカッターによってカットされ、カッター排紙駆動ローラの回動によって排出されるロール紙を下方で受ける排紙スタッカが、カッター排紙駆動ローラのほぼ真下に位置する第１の用紙収納部と、これの下流側に位置する第２の用紙収納部とを備え、短尺のロール紙は第１の用紙収納部に、長尺のロール紙は第２の用紙収納部に落下し、仕分けされる構成が開示されている。
【０００５】
また一方、カッタで切断された長さの異なるシート切断片を振り分ける方法も提案されている。特許文献２では、ロータリー方式のカッタ装置の下流側に排紙ガイド機構が設けられており、排紙ガイド機構は、固定された排紙ガイド部材と、ロータリーカッタのキャリッジの動きに連動して上下回動する可動フラップから構成されている。長尺写真部を写真排出口へ導き切屑収納部を閉じる可動フラップ位置と、切屑収納部を開放させて短尺の屑を切屑収納部に導く経路を作る可動フラップ位置とを持つ構成である。
【先行技術文献】
【特許文献】
【０００６】
【特許文献１】特開２００３−２５２５１４号公報
【特許文献２】特開２００３−３２６７８３号公報
【発明の概要】
【発明が解決しようとする課題】
【０００７】
しかしながら、例えば特許文献１に開示された構成では、複数長さの切断片を分別スタックさせるために必用な排紙スタッカを、その度毎にプリンタ本体にスナップ手段を介して装着させなければならない。そのため、セッティング作業が煩雑で、プリンタを分別スタック可能状態にセッティングするために時間がかかっていた。また、プリンタ本体から取り外した排紙スタッカの管理が面倒で、紛失するおそれもあった。また、複数長さの切断片を分別スタックさせるために必用な排紙スタッカが、手前に短尺部、遠方に長尺部と外に延びる排紙スタック部であるため、プリンタが大型化してしまっていた。また、カッター排紙駆動ローラから切断片が自然落下してから排紙スタッカに到る間での切断片の引っ掛りを取り除く対策が無く、途中で引っ掛った切断片に次々にその後の切断片が引っ掛り、切断片を所望の用紙収納部に積載できなくなる問題があった。また、短尺スタック部（第１の用紙収納部）が満載時の対策が無く、短尺スタック部が満載時は、長尺スタック部（第２の用紙収納部）側に溢れ出し、結局短尺切断片と長尺切断片が混載してしまう問題があった。
【０００８】
特許文献２に開示された構成では、長尺切断片と短尺切断片が通過するそれぞれの分別経路形成を、ロータリーカッタ駆動モータによるキャリッジ移動動作に連動させた可動フラップで行っている。そのため、カッタと可動フラップ間の連動をとるための連動部材を設置させる空間や、これを動作させる空間をカッタ下流に必要としていた。すなわち、分別経路構成部品配置の設計制約が生まれ、さらにプリンタ自体の大型化を招いていた。また、可動フラップを可動させないと分別経路が形成されないため、実質可動フラップを駆動させるモータが必須となっていた。また、切屑が切屑収納部で満載になった場合、切屑収納部を取り外して切屑を捨てる以外に、その状態を回避させる方法が無かった。
【０００９】
本発明は上記のような点に鑑みてなされたものであり、記録媒体切断片の分別スタック可能状態へのセッティングを簡単な動作で実現可能とし、さらにスタック部に至る切断片用通路に引っ掛かった切断片やスタック部の満載時の切断片を移動させることのできる構成を、平易な構成で、低コストで実現可能とすることを目的にする。
【課題を解決するための手段】
【００１０】
本発明の画像記録装置は、装置本体と、前記装置本体内で記録媒体を搬送する搬送手段と、前記装置本体内で前記記録媒体に画像を記録する記録手段と、前記記録媒体を切断するための切断手段と、第１の長さで切断された前記記録媒体の切断片を保持するための第１排紙スタック部を有し、前記装置本体に移動可能に支持された排紙スタック部材と、前記装置本体に設けられた、第２の長さで切断された前記記録媒体の切断片を収納するための第２排紙スタック部とを備え、前記排紙スタック部材が排紙位置にあるときに、前記排紙スタック部材により切断片用通路が形成され、前記切断片用通路を通って前記第２の長さの切断片が前記第２排紙スタック部に収納され、前記排紙スタック部材を移動させることにより、前記排紙スタック部材に設けられた切断片移動部が、前記切断片用通路を構成する空間及び前記第２排紙スタック部のうち少なくともいずれかを通過して前記第２の長さの切断片を移動させる構成にしたことを特徴とする。
【発明の効果】
【００１１】
本発明によれば、装置本体に排紙スタック部材が支持されており、排紙スタック部材の紛失のおそれはなく、しかも、その排紙スタック部材を移動させるという簡単な動作により、記録媒体切断片の分別スタック可能状態へセッティングすることができる。また、排紙スタック部材を移動させることにより、排紙スタック部材に設けられた切断片移動部が、切断片用通路を構成する空間や第２排紙スタック部を通過するので、切断片用通路に引っ掛かった切断片や第２排紙スタック部の満載時の切断片を移動させることのできる構成を、平易な構成で、低コストで実現することができる。
【図面の簡単な説明】
【００１２】
【図１】第１の実施形態に係る画像記録装置を示す斜視図である。
【図２】第１の実施形態に係る画像記録装置を示す斜視図である。
【図３】第１の実施形態に係る画像記録装置の使用状態を示す断面図である。
【図４】第１の実施形態に係る画像記録装置の使用状態へのセッティング動作を示す断面図である。
【図５】第１の実施形態に係る画像記録装置の非使用状態への戻し動作を示す断面図である。
【図６】第２の実施形態に係る画像記録装置を示す斜視図である。
【図７】第２の実施形態に係る画像記録装置の非使用状態への戻し動作を示す断面図である。
【図８】第２の実施形態に係る画像記録装置の非使用状態への戻し動作を示す断面図である。
【図９】第３の実施形態に係る画像記録装置を示す斜視図である。
【図１０】第３の実施形態に係る画像記録装置を示す斜視図である。
【図１１】第４の実施形態に係る画像記録装置の非使用状態への戻し動作を示す断面図である。
【図１２】第５の実施形態に係る画像記録装置の要部を示す図である。
【図１３】第５の実施形態に係る画像記録装置の使用状態へのセッティング動作を示す断面図である。
【図１４】第５の実施形態に係る画像記録装置の非使用状態への戻し動作を示す断面図である。
【発明を実施するための形態】
【００１３】
以下、添付図面を参照して、本発明の好適な実施形態について説明する。
（第１の実施形態）
図１は第１の実施形態に係る画像記録装置の非使用状態を示す斜視図である。図１（ａ）は画像記録装置を右斜め前方から見た斜視図である。１は装置本体、２はカセットカバー、３は排紙スタック部材である。排紙スタック部材３は、装置本体１に移動可能（回動可能）に支持されており、非使用状態においては画像記録装置の外装に沿う状態で閉じている。
【００１４】
図１（ｂ）は画像記録装置を右斜め後方から見た斜視図である。装置本体１の背面には、短尺の画像記録媒体切断片である第２の長さの切断片８ｂ（図３等を参照）を収納するための第２排紙スタック部１ａが設けられている。第２排紙スタック部１ａは、装置本体１の背面に開口する凹部により構成される。この開口は、第２排紙スタック部１ａに積載した第２の長さの切断片８ｂを使用者が取り除けるようにするためのものである。
【００１５】
図１（ｃ）は印刷記録媒体カセット及びインクリボンカセットを画像記録装置に収納する状態を示す斜視図である。カセットカバー２は装置本体１にヒンジを用いて回動可能に取り付けられており、カセット装填時は図１（ｃ）に示すように開放される。装置本体１の右側面には、カセットカバー２を開放したときに現れる、印刷記録媒体カセット４とインクリボンカセット５の略挿入端面形状の開口部が形成されており、使用者は該開口部に合わせて印刷記録媒体カセット４とインクリボンカセット５を挿入する。
【００１６】
図２は第１の実施形態に係る画像記録装置の使用状態を示す斜視図である。図２（ａ）は画像記録装置を右斜め前方から見た斜視図、図２（ｂ）は画像記録装置を右斜め後方から見た斜視図である。画像記録装置を使用する場合、使用者は装置本体１の正面の凹部１ｃと排紙スタック部材３との間に形成される隙間に指を掛け、排紙スタック部材３を使用位置（排紙位置）まで回動させてセッティングする。排紙スタック部材３は、装置本体１に回動自在に保持される回動支持部３ａと、排紙スタック部材３の回動位置を規制する長溝及びこれに係合する軸により構成された位置規制部３ｂとを有する。
【００１７】
排紙スタック部材３を使用位置まで回動させることにより開放される装置本体１の上面１ｄには主電源スイッチ６が配置されている。すなわち、画像記録装置の使用状態では主電源スイッチ６を押下で電源投入ができるが、非使用状態では主電源スイッチ６が覆われるため電源投入ができないようになっており、安全性の向上が図られている。
【００１８】
図３は第１の実施形態に係る画像記録装置の使用状態を示す断面図である。排紙スタック部材３は、非使用位置にあるときに装置本体１の上面１ｄを覆い、使用位置にあるときに第１の長さの切断片８ｃを保持するスタック部として機能する第１排紙スタック部３ｄを備える。また、第１排紙スタック部３ｄに対して略垂直に延出し、第１排紙スタック部３ｄの底部となる切断片移動部３ｅとを備える。このように排紙スタック部材３に第１排紙スタック部３ｄを設けているが、第１排紙スタック部３ｄは排紙方向に長く伸びた形状である。したがって、非使用位置にあるときは、装置本体１の外装に沿う状態まで排紙スタック部材３を回動させる構成とすることにより、画像記録装置を小型化することができる。図３に示すように、排紙スタック部材３が使用位置にあるときに、排紙スタック部材３の切断片移動部３ｅと、装置本体１の上面１ｄから第２排紙スタック部１ａへと繋がる傾斜面とが相まって切断片用通路が形成される。この切断片用通路を通って第２の長さの切断片８ｂが第２排紙スタック部１ａに収納される。
【００１９】
印刷記録媒体カセット４には、軸４ａにロール状に巻かれた印刷記録媒体８が内包されている。印刷記録媒体カセット４から画像記録装置への搬送方式は、不図示のモータによって軸４ａを駆動させることでカセット４内外への印刷記録媒体８の搬送を行う方式とする。その他の搬送方式の例としては、軸４ａは従動軸として巻かれたロール状記録媒体８の最外周に付勢されて接する不図示の給紙駆動ローラ等で行う方式としても構わない。また、印刷記録媒体８が印刷記録媒体カセット４から画像記録装置に、逆に画像記録装置から印刷記録媒体カセット４に搬送可能であれば他の方式を用いても構わない。
【００２０】
装置本体１内には、印刷記録媒体８を搬送させるための搬送機構９が設けられている。９ａは軸表面に微細な突起を有するグリップローラであり、不図示のモータから回転力を得て駆動され、正逆回転回動可能に保持されている。９ｂはピンチローラであり、不図示の付勢手段でグリップローラ９ａ側に微細な突起から僅かに離れる間隔を持って付勢されている。グリップローラ９ａとピンチローラ９ｂ間に搬送された印刷記録媒体８はニップされてグリップローラ９ａの突起に刺さり、搬送力を得て送り出しや引き込み駆動がなされる。搬送機構９の下流にはデカール部１０が配置されている。デカール部１０は、印刷記録媒体８が通る隙間を持ったガイド形状をなし、経路途中に屈曲部を有し、この屈曲部で印刷記録媒体８をしごくことでカール取りを行う。搬送機構９の下流で、デカール部１０に至るまでの間に不図示の記録媒体先端検出手段が配置されており、送られてきた印刷記録媒体８の位置を検出して所望の搬送長さを給紙させる。
【００２１】
また、印刷記録媒体８を挟む位置に記録手段であるサーマルヘッド１１とプラテンローラ１２とが配置されている。サーマルヘッド１１は不図示の弾性部材でプラテンローラ１２側に付勢されており、さらに不図示のモータで適宜上下移動を行いプラテンローラ１２に接離する。
【００２２】
インクリボンカセット５には、供給側軸５ａにインクリボン１６が必要枚数巻かれており、巻上げ側軸５ｂにインクリボン１６の端部が巻かれている。画像記録装置に装填されたインクリボンカセット５は不図示のモータで巻き上げ軸５ｂが駆動されてインクリボン１６を巻き上げる。印刷時は、サーマルヘッド１１でインクリボン１６に塗布されたインクを搬送された印刷記録媒体８に熱転写させる。
【００２３】
印刷記録媒体８の搬送方向下流には切断手段であるカッタ１３が配置されている。カッタ１３は固定刃と可動刃により構成される。また、カッタ１３の上方で、装置本体１の上面１ｄに形成された印刷記録媒体８の排出口には、表面にゴム等の弾性部材を有する排紙駆動ローラ１４と排紙従動ローラ１５とが配置されている。排紙駆動ローラ１４は、不図示のモータから駆動力を得て回転する。排紙従動ローラ１５は、不図示の弾性部材で排紙駆動ローラ１４側に付勢されている。装置本体１の上面１ｄには印刷記録媒体８に付勢する付勢部材７が設けられており、排紙駆動ローラ１４と排紙従動ローラ１５との間でニップされ排紙搬送された印刷記録媒体８の排紙方向を排紙スタック部材３及び第２排紙スタック部１ａの方向に変える。
【００２４】
排紙駆動ローラ１４、排紙従動ローラ１５は、第１の実施形態のように排紙方向が略鉛直上向き側に排紙する、いわゆる上方排紙の場合に有効である。すなわち、カッタ１３で切断された直後の印刷記録媒体８の切断片８ｂが、重力で不用意な場所に移動しないように画像記録装置内で確実に保持できる。さらに、排紙駆動ローラ１４で重力に抗する駆動力を切断片８ｂに付与し、切断片８ｂを確実に画像記録装置の外部に排出することができる。さらに、付勢部材７を用いて、排紙ローラ１４、１５のニップ位置からの排紙方向を変えることで、排紙済みの切断片が重力で再度排紙ローラ１４、１５のニップ部に戻って切断片が逆流することを防ぐことができる。
【００２５】
第１の実施形態のように上方排紙でない場合、例えばカッタから略水平以下に排紙がされる横排紙の場合、排紙ローラ１４、１５や付勢部７は必要でない。カッタで印刷記録媒体が切断されると同時に、重力のみでカッタから切断片が離れるためである。故に、本発明の実施では、排紙ローラ１４、１５や付勢部７が無い場合も存在する。
【００２６】
画像記録装置は、印刷記録媒体カセット４に印刷記録媒体８を巻き込み駆動しながら、かつ、インクリボンカセット５の巻上げ側軸５ｂを巻上げ、印刷記録媒体８に張り付いたインクリボン１６を引き剥がしながら印刷する。通常Ｙ（イエロー）、Ｍ（マゼンタ）、Ｃ（シアン）、ＯＣ（オーバーコート）の４色を１色ずつ印刷しては、再度書き出し位置まで印刷記録媒体８を送り出し、印刷を実行する。
【００２７】
ＯＣ印刷終了後、サーマルヘッド１１を離間させて、カッタ１３から第２の長さに適する長さになるように印刷記録媒体８を送り出す。所定の長さ送り出された後、カッタ１３で印刷記録媒体８を切断して第２の長さの切断片８ｂを生成し、排紙駆動ローラ１４で送り出す。さらにカッタ１３から第１の長さに適する長さになるように印刷記録媒体８を送り出す。所定の長さ送り出された後、再びカッタ１３で印刷記録媒体８を切断して第１の長さの切断片８ｃを生成し、排紙駆動ローラ１４で送り出す。最初に切屑等の比較的短尺な第２の長さの切断片８ｂは、第２排紙スタック部１ａに送られる（矢印Ｂ経路）。次に写真等の比較的長尺な第１の長さの切断片８ｃは、排紙スタック部材３の第１排紙スタック部３ｄに送られる（矢印Ａ経路）。このように排紙スタック部材３が使用位置にあるときに排紙ローラ１４、１５に接近する排紙スタック部材３の分別部３ｃ（切断片移動部３ｅの先端部）を境にして分別積載される。
【００２８】
第１の長さの切断片８ｃは、分別部３ｃの上を通過して直接第１排紙スタック部３ｄに排紙駆動ローラ１４による排紙付勢力と重力で落下する。故に、第１の長さの切断片８ｃは、排紙後は狭められた隙間を通過することはない。ロール状の印刷記録媒体を用いる場合、ロール状に巻かれていた径差によって切断後の切断片送り出し方向の反り量が変化し易い。第１排紙スタック部３ｄへのスタックには、搬送方向の反りや長い切断片であっても切断片終端部が分別部３ｃを通過させることが比較的容易なため、長尺の必要印刷部に好適である。
【００２９】
第２の長さの切断片８ｂは、分別部３ｃと排紙駆動ローラ１４との間の隙間を進入口として、切断片移動部３ｅと装置本体１の傾斜面により形成される切断片用通路を通って、第２排紙スタック部１ａに重力で落下する。故に、第２の長さの切断片８ｂは、進入口から第２排紙スタック部１ａに至る通路に引っかかりにくい短い長さである必要がある。第２の長さの切断片８ｂは、前記反りの影響が出にくく比較的形状は安定し易い。よって、第２の長さの切断片８ｂは、全面印刷等で必要印刷部からはみ出た部分が印刷される切屑部に最適である。
【００３０】
このように第１排紙スタック部３ｄには第１の長さの切断片８ｃをスタックさせ、第２排紙スタック部１ａには第２の長さの切断片８ｂをスタックさせると、安定した分別スタックが可能となる。ちなみに、第１の長さの切断片８ｃの搬送方向長さは第２の長さの切断片８ｂの搬送方向長さ以上であることが好ましい。
【００３１】
図４は第１の実施形態に係る画像記録装置の使用状態へのセッティング動作を示す断面図である。図４（ａ）は第１の実施形態に係る画像記録装置の非使用状態を示す断面図である。画像記録装置の非使用状態で、排紙スタック部材３は、装置本体１の上面１ｄ、排紙ローラ１４、１５、付勢部材７、主電源スイッチ６を覆っている。すなわち、非使用位置にある排紙スタック部材３は装置本体１の上面１ｄを覆うように配置され、印刷に必要な部分を見せなくすることができる。
【００３２】
また、非使用位置にある排紙スタック部材３の切断片移動部３ｅは、第２排紙スタック部１ａの開口の一部を覆い、画像記録装置の背面外装の一部を成すとともに、開口面積を小さくすることによるデザイン性の向上が図られている。また、塵や埃の排紙ローラ１４、１５からの進入を防止する機能性の向上が図られている。また、画像記録装置を小型にすることによる収納性向上が図られている。
【００３３】
図４（ｂ）は第１の実施形態に係る画像記録装置の使用状態へのセッティング途中を示す断面図である。排紙スタック部材３を回動支持部３ａを中心に矢印方向に回動させて使用状態にセッティングする。排紙スタック部材３の移動、すなわち回動動作によって、排紙スタック部材３の切断片移動部３ｅは、後述する図４（ｃ）の使用状態で完成される切断片用通路を構成する空間を通過して、該空間を狭くする。本実施形態では使用者による手動で排紙スタック部材３を回動させる構成として、動力を削減し、小型化やコストダウンを達成させたが、動力を用いた排紙スタック部３のセッティング駆動であっても構わない。
【００３４】
図４（ｃ）は第１の実施形態に係る画像記録装置の使用状態へのセッティング完了状態を示す断面図である。排紙スタック部材３は回動支持部３ａを中心に矢線方向に回動し、位置規制部３ｂの長溝端と軸が当接することで停止する。これにより、排紙スタック部材３の切断片移動部３ｅと装置本体１の傾斜面とが相まって切断片用通路が形成される。すなわち、画像記録装置は、第１の長さの切断片８ｃと第２の長さの切断片８ｂを分別スタック可能な状態になる。本実施形態では、排紙スタック部材３の第１排紙スタック部３ｄと分別部３ｃと切断片移動部３ｅを樹脂成型によって一体部品としている。これにより、構造の簡素化、小型化、部品の削減、型構造の簡素化、部品型費用の削減を達成させているが、複数部品化させて接着や嵌め込み等で組み合わせても構わない。また、切断片移動部３ｅと第１排紙スタック部３ｄの底部を表裏一体にしているが、別々の形状で構成しても構わない。
【００３５】
なお、第２排紙スタック部１ａの底面の開口側には第２の長さの切断片８ｂが外部に流れ出さないようにするためのリブ１ｅが設けられている。よって、第２排紙スタック部１ａには所定枚数の第２の長さ切断片８ｂを外部に落下させないで積載させることができる。
【００３６】
図４（ｃ）に示すように、第１の実施形態では、排紙スタック部材３の分別部３ｃを境に重力方向上に第１排紙スタック部３ｄ、重力方向下に第２排紙スタック部１ａが配置される構成となっている。例えば必要印刷部を長尺切断片として第１排紙スタック部３ｄに、切屑を短尺切断片として第２排紙スタック部１ａにスタックさせる場合、第２排紙スタック部１ａの鉛直上側を排紙スタック部材３で覆うことになる。これにより、第２排紙スタック部１ａ全体が上方から使用者に見えにくくなり、切屑を使用者には直接見せないようにすることができ、美観上の都合が良い。
【００３７】
上述したように、使用者は図４（ａ）〜４（ｃ）に至る１回の排紙スタック部材３の開動動作を行うだけで非使用状態から使用状態への切り替え及びその逆が可能になる。したがって、分別スタック可能状態（使用状態）と非使用状態への切換が簡便で、切換に要する時間も僅かである。また、排紙スタック部材３が装置本体１に回転可能に支持されているので、排紙スタック部材３を装置本体１と別に管理する必要は無く、排紙スタック部材３を紛失することが本来起きない。
【００３８】
また、排紙スタック部材３に分別部３ｃを設けたことで、画像記録装置自体に分別部を設ける必要が無くなり、画像記録装置の特に背面形状が簡素化できる。すなわち、第１排紙スタック部３ｄの上部に、分別部３ｃと排紙ガイドとなる切断片移動部３ｅの両方の機能を持つリブ形状を作成する必要が無くなるため、型構造が簡素化され、部品費、型費用削減に繋がる。
【００３９】
図５は第１の実施形態に係る画像記録装置の非使用状態への戻し動作を示す断面図である。図５（ａ）は第１の実施形態に係る画像記録装置の使用状態を示す断面図である。同図において、短尺屑部である第２の長さの切断片８ｂが、第２排紙スタック部１ａへ至る切断片用通路の途中で引っ掛って滞留してしまっている。
【００４０】
図５（ｂ）は第１の実施形態に係る画像記録装置の非使用状態へのセッティング途中を示す断面図である。排紙スタック部材３を回動支持部３ａを中心に矢印方向に回動させると、切断片移動部３ｅが、図５（ａ）の使用状態で形成されていた第２排紙スタック部１ａへ至る切断片用通路を構成する空間を通過する。これにより、切断片用通路に滞留した第２の長さの切断片８ｂを掻き落とすことができ、第２の長さの切断片８ｂは重力により第２排紙スタック部１ａに落下する。
【００４１】
図５（ｃ）は第１の実施形態に係る画像記録装置の非使用状態へのセッティング完了状態を示す断面図である。排紙スタック部材３は回動支持部３を中心に矢線方向に回動し、位置規制部３ｂの長溝端と軸が当接することで停止する。
【００４２】
以上のように、排紙スタック部材３の移動動作によって、切断片移動部３ｅが切断片用通路を構成する空間を通過し、切断片用通路に滞留した切断片８ｂの移動が可能になる。このように排紙スタック部材３の移動によって、排紙を妨げる滞留切断片の移動がなされることで、排紙が所望の位置に確実に移動できる一助となる。特にカッタ１３から第２排紙スタック１ａまでに至る切断片用通路に十分な空間を確保できない場合に有効である。
【００４３】
（第２の実施形態）
図６は第２の実施形態に係る画像記録装置の非使用状態を示す斜視図である。以下では、第１の実施形態との相違点を中心に説明するとともに、同様の構成要素には同一の符号を付し、その説明を省略する。図６（ａ）、（ｂ）は画像記録装置を右斜め後方から見た斜視図であり、図６（ａ）は切屑箱１７を取り付けた状態、図６（ｂ）は切屑箱１７を取り外した状態を示す。第１の実施形態との相違点は、第２排紙スタック部として、装置本体１の背面に切屑箱収納部１ｆを形成し、上端開口を有する切屑箱１７を収納した点である。このように切屑箱１７に第２の長さの切断片８ｂである切屑がまとめて積載されるので、切屑箱１７を取り出して切屑をまとめて捨てることができる。切屑箱１７が切屑箱収納部１ｄに収納されることにより、装置本体１の背面に開口がない外装とすることができ、デザイン的にも画像記録装置の一体感が増す。切屑箱１７を不透明部材で形成すれば、切屑箱１７に積載される切屑を外部から見えなくすることが可能で、美観向上につながる。逆に切屑箱１７を透明部材で形成すれば、切屑箱１７内の積載状態を外部から確認することが可能になる。
【００４４】
図６（ｂ）に示すように、切屑箱収納部１ｆの底部にはリブが形成されており、切屑箱１７の底部に形成された溝部が嵌合することで切屑箱１７の位置決めがなされる。
【００４５】
図７は第２の実施形態に係る画像記録装置の非使用状態への戻し動作を示す断面図である。図７（ａ）は第２の実施形態に係る画像記録装置の使用状態を示す断面図である。第２の長さの切断片８ｂが第２排紙スタック部である切屑箱１７内で浮き上がり気味に積載されている。第２の長さの切断片８ｂは、切屑箱１７に重力で積み重なるだけなので、切屑箱１７の内壁面への引っ掛かりや切断片８ｂ同士の傾き等で切断片８ｂ間に隙間ができやすい。
【００４６】
図７（ｂ）は第２の実施形態に係る画像記録装置の非使用状態へのセッティング途中を示す断面図である。排紙スタック部材３を回動支持部３ａを中心に矢印方向に回動させると、切断片移動部３ｅの先端が、第２排紙スタック部（切屑箱１７）の上部を通過する。これにより、切屑箱１７の上部で浮き上がっていた第２の長さの切断片８ｂを切屑箱１７内へと圧縮することができる。
【００４７】
図７（ｃ）は第２の実施形態に係る画像記録装置の非使用状態へのセッティング完了状態を示す断面図である。排紙スタック部材３は回動支持部３を中心に矢線方向に回動し、位置規制部３ｂの長溝端と軸が当接することで停止する。
【００４８】
図８は、図７と同じく、第２の実施形態に係る画像記録装置の非使用状態への戻し動作を示す断面図である。図８（ａ）は第２の実施形態に係る画像記録装置の使用状態を示す断面図である。同図において、第２の長さの切断片８ｂが切屑箱１７に満載となっており、切屑箱１７の上端開口から溢れ出ている。
【００４９】
図８（ｂ）は第２の実施形態に係る画像記録装置の非使用状態へのセッティング途中を示す断面図である。排紙スタック部材３を回動支持部３ａを中心に矢印方向に回動させると、切断片移動部３ｅの先端が、第２排紙スタック部（切屑箱１７）の上部を通過する。これにより、切屑箱１７の上部で浮き上がっていた第２の長さの切断片８ｂを切屑箱１７内へと圧縮しつつ、それでもなお切屑箱１７の上端開口より上に溢れ出ている第２の長さの切断片８ｂを画像記録装置の外部へ掻き出す。このように使用者に外部に掻き出された第２の長さの切断片８ｂをあえて見せることで、特別な満載検出装置等を使わずに切屑箱１７が満載となっていることを認識させ、切屑を捨てさせることを促すことができる。
【００５０】
図８（ｃ）は第２の実施形態に係る画像記録装置の非使用状態へのセッティング完了状態を示す断面図である。排紙スタック部材３は回動支持部３を中心に矢線方向に回動し、位置規制部３ｂの長溝端と軸が当接することで停止する。
【００５１】
以上のように、排紙スタック部材３の移動動作によって、切断片移動部３ｅが第２排紙スタック部（切屑箱１７）の上部を通過し、第２排紙スタック部で浮き上がった状態にある切断片８ｂの圧縮や、第２排紙スタック部で満載となった切断片８ｂの画像印刷装置の外部への移動が可能になる。このように排紙スタック部材３の移動によって、排紙を妨げる滞留切断片の移動がなされることで、排紙が所望の位置に確実に移動できる一助となる。特にカッタ１３から第２排紙スタック１ａまでに至る切断片用通路に十分な長さを確保できず、その間に切断片が詰まりやすい場合に有効である。
【００５２】
（第３の実施形態）
図９は第３の実施形態に係る画像記録装置を上面から見た斜視図である。第１、２の実施形態との相違点は、排紙スタック部材３の切断片移動部３ｅに、第１排紙スタック部１ｄと第２排紙スタック部通路とを連通する開口部３ｆ又は切欠き３ｇを形成したことである。排紙スタック部材３が使用位置にあり、第２排紙スタック部を覆う場合でも、第１排紙スタック部３ｄ側から開口３ｆ又は切欠き３ｇを通じて、第２排紙スタック部へ至る切断片用通路に滞留した切断片や、第２排紙スタック部の上部にある切断片を使用者が移動させることが可能になる。
【００５３】
（第４の実施形態）
図１０は第４の実施形態に係る画像記録装置を示す斜視図である。以下では、第１の実施形態との相違点を中心に説明するとともに、同様の構成要素には同一の符号を付し、その説明を省略する。図１０（ａ）第４の実施形態に係る画像記録装置の非使用状態を右斜め後方から見た斜視図である。排紙スタック部材１８は、非使用状態においては第２排紙スタック部１ａの開口を塞いでおり、その状態から排紙スタック部材１８を上方へ引き上げることができる。
【００５４】
図１０（ｂ）は第４の実施形態に係る画像記録装置の使用状態を右斜め前方から見た斜視図である。排紙スタック部材１８は上方へ引き上げられた後、後方に僅かに回動させて使用状態にセッティングされる。図１０（ｃ）は第４の実施形態に係る画像記録装置の使用状態を右斜め後方から見た斜視図である。排紙スタック部材１８を引き上げることにより、第２排紙スタック部１ａの開口が開放されている。
【００５５】
図１１は第４の実施形態に係る画像記録装置の非使用状態への戻し動作を示す断面図である。排紙スタック部材１８は、非使用位置にあるときに第２排紙スタック部１ａの開口を塞ぎ、使用位置にあるときに第１の長さの切断片８ｃを保持するスタック部として機能する第１排紙スタック部１８ｄを備える。また、第１排紙スタック部１８ｄの下部から斜め方向に延出し、第１排紙スタック部１８ｄの底部となる切断片移動部１８ｅを備える。排紙スタック部材１８が使用位置にあるときに、排紙スタック部材１８の切断片移動部１８ｅと、装置本体１の上面１ｄから第２排紙スタック部１ａへと繋がる傾斜面とが相まって切断片用通路が形成される。この切断片用通路を通って第２の長さの切断片８ｂが第２排紙スタック部１ａに収納される。また、比較的長尺な第１の長さの切断片８ｃと比較的短尺な第２の長さの切断片８ｂとは、排紙スタック部材１８が使用位置にあるときに排紙スタック部材１８の分別部１８ｃ（切断片移動部１８ｅの先端部）を境にして分別積載される。
【００５６】
図１１（ａ）は第４の実施形態に係る画像記録装置の使用状態を示す断面図である。排紙スタック部材１８には、第２排紙スタック部１ａの側壁面に形成された長溝１ｇと嵌合する軸１８ａが設けられている。また、排紙スタック部材１８には、第２排紙スタック部１ａの側壁面の上部に設けられた突起部１ｈに係止する係止凹部１８ｂが形成されている。また、排紙スタック部材１８の背面には、排紙スタック部材１８を非使用位置に移動させるときに突起部１ｈに沿うガイド部１８ｆが設けられている。
【００５７】
図１１（ｂ）は第４の実施形態に係る画像記録装置の非使用状態へのセッティング途中を示す断面図である。排紙スタック部材１８を軸１８ａを中心に矢印方向に回動させると、突起部１ｈと係止凹部１８ｂとの係止が解ける。そして、切断片移動１８ｅが、図１１（ａ）の使用状態で形成されていた第２排紙スタック部１ａへ至る切断片用通路を構成する空間を通過する。これにより、切断片用通路に滞留した第２の長さの切断片８ｂを掻き落とすことができ、第２の長さの切断片８ｂは重力により第２排紙スタック部１ａに落下する。
【００５８】
図１１（ｃ）は第４の実施形態に係る画像記録装置の非使用状態へのセッティング途中を示す断面図である。図１１（ｂ）の状態から、排紙スタック部材１８を矢線方向に軸１８ａを長溝１ｇに沿わせてスライドさせると、切断片移動部１８ｅが第２排紙スタック１ａ内を直進する。これにより、第２排紙スタック部１ａで積載されている第２の長さの切断片８ｂを圧縮しつつ、第２の長さの切断片８ｂを画像記録装置の外部へ押し出す。切断片移動部１８ｅが切断片８ｂを押し出すのに適した傾斜面をなすようにすることにより、切断片８ｂの外部排出が可能になる。このように使用者に外部に押し出された第２の長さの切断片８ｂをあえて見せることで、特別な満載検出装置等を使わずに切屑箱１７が満載となっていることを認識させ、切屑を捨てさせることを促すことができる。
【００５９】
図１１（ｄ）は第４の実施形態に係る画像記録装置の非使用状態へのセッティング途中を示す断面図である。図１１（ｂ）の状態から、排紙スタック部材１８を矢線方向に軸１８ａを長溝１ｇに沿わせてスライドさせると、切断片移動部１８ｅが第２排紙スタック１ａ内を直進する。これにより、第２排紙スタック部１ａで積載されている第２の長さの切断片８ｂを圧縮しつつ、第２の長さの切断片８ｂを画像記録装置の外部へ押し出そうとする。しかしながら、図１１（ｄ）では、図１１（ｃ）の場合と異なり、第２の長さの切断片８ｂを押し出し切れなかった場合を示す。使用者は、排紙スタック部材１８をこれ以上押せなくなることで、第２排紙スタック部１ａが満載となっていることを認識することができる。このように特別な満載検出装置等を使わずに第２排紙スタック部１ａが満載であることを認識させ、切屑を捨てさせることを促すことができる。
【００６０】
図１１（ｅ）は第４の実施形態に係る画像記録装置の非使用状態へのセッティング完了状態を示す断面図である。排紙スタック部材１８は軸１８ａを長溝１ｇに沿わせながら、かつ、突起部１ｈをガイド部１８ｆに沿わせながら下方向にスライドし、軸１８ａと長溝１ｇの端部が当接することで停止する。
【００６１】
排紙スタック部材１８が非使用位置である図１１（ｅ）の位置まで移動可能になるかは、第２の長さの切断片８ｂが第２排紙スタック部１ａにどれだけ積載されているかで決まる。排紙スタック部材１８を非使用位置に移動する度に第２排紙スタック部１ａに積載された切断片８ｂにより完全に移動できないのでは困る。図１１（ｄ）の状態で、排紙スタック部材１８の最下端である切断片移動部１８ｅの先端（分別部１８ｃ）から第２排紙スタック部１ａの底面までの距離を長くすれば、切断片８ｂの積載可能量が増える。したがって、切断片８ｂが積載されたままでも排紙スタック部材１８を完全に閉じられるようにすることができる。
【００６２】
第１〜３の実施形態と本実施形態との違いは排紙スタック部の移動方向である。第１〜３の実施形態では排紙スタック部材３は回動のみで移動し、本実施形態では排紙スタック部材１８の回動と直線移動を組み合わせて移動する。これら実施形態からもわかるように、排紙スタック部の移動方向は限定されるものでなく、様々な方向への移動が組み合わされても構わない。
【００６３】
（第５の実施形態）
図１２は第５の実施形態に係る画像記録装置の要部を示す図である。以下では、第１の実施形態との相違点を中心に説明するとともに、同様の構成要素には同一の符号を付し、その説明を省略する。図１２（ａ）は第５の実施形態に係る画像記録装置の使用状態を示す要部断面図である。排紙スタック部材３の切断片移動部３ｅに伸縮部材であるレバー１９を内蔵する。切断片移動部３ｅ内においてレバー１９はバネ等の付勢部材２０で付勢されており、レバー１９はその外周面をなすガイド面１９ａ及びガイド突起部１９ｂと排紙スタック部材３内側のガイド面３ｈとにガイドされながら矢印ａ方向に摺動して伸縮可能となっている。
【００６４】
印刷記録媒体８はカッタ１３で切断され、レバー１９の先端１９ｃを境にして第１の長さの切断片８ｃは付勢部材７と駆動ローラ１４により排紙スタック部材３によって形成された第１排紙スタック部３ｄ及びリブ部１９ｄにスタックされ、第２の長さの切断片８ｂは重力や駆動ローラ１４の回転により第２排紙スタック部１ａに分別積載される。使用状態では、レバー１９が伸びるように移動した状態となるので、レバー１９を設けていない排紙スタック部材３よりもより多くの切断片８ｃが積載可能である。
【００６５】
図１２（ｂ）は第５の実施形態に係る画像記録装置を後方から見た斜視図である。第２排紙スタック部１ａの左右において、第２排紙スタック部１ａの底面に滑らかに繋がった状態でガイド部１ｉが立設されている。左右のガイド部１ｉに挟まれた空間ｘは第２の長さの切断片８ｂが通る通路となるため、空間ｘの長さは切断片８ｂの幅より広いことが必要である。
【００６６】
図１２（ｃ）は図１２（ａ）の（ｃ）部分の拡大図である。レバー１９の径方向に突出するガイド突起部１９ｂが、切断片移動部３ｅの先端のストッパ３ｊに当接することでレバー１９が排紙スタック部材３から抜けないようになっている。これは、排紙スタック部材３にレバー１９を組み立てる際の抜け止めであり、組立性向上に繋がっている。ただし、レバー１９は製品組み付け状態においてはガイド面１９ａがストッパ３ｊに当接することはなく、レバー１９の伸縮を阻害するものではない。また、レバー１９のリブ部１９ｄは切断片移動部３ｅの面よりも高くなっており、第１の長さの切断片８ｃを第１排紙スタック部３ｄにスタックする際に引っ掛ることなくスタックすることができる。リブ部１９ｄは第１の長さの切断片８ｃを安定して支えるため複数箇所あることが望ましい。また、回動支持部３ａ（不可視個所のため点線表示）と装置本体１側の凹部１ｍ（図１２（ｂ）を参照）が嵌合し、排紙スタック部材３が回転する際の中心となる。
【００６７】
図１３は第５の実施形態に係る画像記録装置の使用状態へのセッティング動作を示す断面図である。図１３（ａ）は第５の実施形態に係る画像記録装置の非使用状態を示す断面図である。排紙スタック部材３が非使用位置にあるとき、レバー１９は付勢部材２０により矢印ｂ方向に付勢されて、レバー１９の先端１９ｃが第２排紙スタック部１ａの底面に当接している。これにより、製品背面から見た際に排紙スタック部材３と装置本体１に隙間が無く、外観品位の向上になる。第２排紙スタック部１ａの底面には一段低くなった回転係止部１ｊが形成されており、この回転係止部１ｊにレバー１９の先端１９ｃが当接する。したがって、ロックが掛かった状態になり、非使用状態の画像記録装置が傾いたり、軽い衝撃を受けたりした際にも排紙スタック部材３が容易に動かないようになっており、ロック部材は不要である。逆にロック部材を設けることで回転係止部１ｊを無くすことも可能である。
【００６８】
図１３（ｂ）は第５の実施形態に係る画像記録装置の使用状態へのセッティング途中を示す断面図である。非使用状態ではレバー１９の先端１９ｃが回転係止部１ｊに当接しているが、排紙スタック部材３を矢印ｃ方向にある一定以上回動させると、回転係止部１ｊが斜面を持っているため、レバー１９が矢印ｄ方向に縮み、回転係止部１ｊを乗り越えることができる。それ以降はレバー１９の先端１９ｃが第２排紙スタック部１ａの底面、更にはガイド部１ｉに沿って移動していく。
【００６９】
図１３（ｃ）は第５の実施形態の画像記録装置の使用状態へのセッティング完了状態を示す断面図である。排紙スタック部材３は矢印ｃ方向に回動し、レバー１９の先端１９ｃが、第２排紙スタック部１ａの底面から繋がるガイド部１ｉに沿って移動していく。ガイド部１ｉの上端には回転係止部１ｋが形成されており、その下方には凸状部１ｐが形成されている。レバー１９の先端１９ｃは、回転係止部１ｋの手前の凸状部１ｐを乗り越えて回転係止部１ｋに移動するとともに、位置規制部１ｎに略並行に当接することで停止する。凸状部１ｐを乗り越える際はレバー１９が伸縮し適度な負荷がかかり、クリック感がでるので、使用者にセッティングが完了したことを報知することが可能になる。
【００７０】
レバー１９の先端１９ｃと排紙駆動ローラ１４の距離ｙは第２の長さの切断片８ｂが通る切断片用通路となるので、切断片８ｂの搬送方向長さ以上が望ましい。
【００７１】
図１４は第５の実施形態に係る画像記録装置の非使用状態への戻し動作を示す断面図である。図１４（ａ）は第５の実施形態に係る画像記録装置の使用状態を示す断面図である。印刷動作終了時に使用者が第１の長さの切断片８ｃを第１排紙スタック部３ｄから取り除き、また第２の長さの切断片８ｂは重力と排紙駆動ローラ１４の回転により第２排紙スタック部１ａに落下し溜まっている状態である。本実施形態では、第２排紙スタック部１ａの底面は外部に近づくにつれ徐々に高くなるようになっており、切断片８ｂが容易に外へ飛び出ることがない。この状態でレバー１９の先端１９ｃは排紙スタック部材３が時計方向回転しようとすると位置規制部１ｎが、逆に反時計回りに回転しようとすると凸状部１ｐがあるため排紙スタック部材３の移動が規制される。すなわち、使用状態の画像記録装置が傾いたり、軽い衝撃を受けたり、第１の長さの切断片８ｃが第１排紙スタック部３ｄに溜まったりした際にも、排紙スタック部材３が容易に動かないようにしているので、ロック部材は不要である。逆にロック部材を設けることで回転係止部１ｋを無くすことも可能である。
【００７２】
図１４（ｂ）は第５の実施形態に係る画像記録装置の非使用状態へのセッティング途中を示す断面図である。排紙スタック部材３を矢印ｅ方向にある一定以上回転させると、回転係止部１ｋが斜面を持っているため、レバー１９が縮み、凸状部１ｐを乗り越えることができる。それ以降はレバー１９の先端１９ｃがガイド部１ｉ、更には第２排紙スタック部１ａの底面に沿って移動していく。
【００７３】
図１４（ｃ）は第５の実施形態に係る画像記録装置の切断片掻き出し状態を示す断面図である。レバー１９の先端１９ｃは第２排紙スタック部１ａの底面に沿って移動する。このとき、レバー１９は付勢部材２０により矢印方向に付勢されているので、レバー１９の先端１９ｃと第２排紙スタック部１ａの底面との間に隙間ができることがなく、第２排紙スタック部１ａに溜まった第２の長さの切断片８ｂをレバー１９で確実に掻き出すことができる。
【００７４】
図１４（ｄ）は第５の実施形態に係る画像記録装置の非使用状態へのセッティング完了状態を示す断面図である。レバー１９の先端１９ｃは回転係止部１ｊに移動し、かつ排紙スタック部材３の先端が装置本体１に設けられた回転規制部１ｑに当接することで回動が停止し、切断片８ｂが完全に外部に排出される。その際、切断片８ｂを受けるための排紙スタック手段を本体内外に設置することも可能である。
【００７５】
なお、上記実施形態ではロール状に巻かれた印刷記録媒体の例を説明したが、短冊状の印刷記録媒体を用いても構わない。また、切断片の第１の長さと第２の長さは特定の長さを限定しているものではない。
【符号の説明】
【００７６】
１：装置本体、１ａ：第２排紙スタック部、１ｆ：切屑箱収納部、１ｉ：ガイド部、１ｋ：回転係止部、３：排紙スタック部材、３ａ：回動支持部、３ｄ：第１排紙スタック部、３ｅ：切断片移動部、３ｃ：分別部、８：印刷記録媒体、８ｂ：第２の長さの切断片、８ｃ：第１の長さの切断片、１３：カッタ、１４：排紙駆動ローラ、１５：排紙従動ローラ、１７：切屑箱、１８：排紙スタック部材、１８ｄ：第１排紙スタック部、１８ｅ：切断片移動部、１８ｃ：分別部、１９：レバー、２０：付勢部材
【図１】
2012081697.tif 000003
【図２】
2012081697.tif 000004
【図３】
2012081697.tif 000005
【図４】
2012081697.tif 000006
【図５】
2012081697.tif 000007
【図６】
2012081697.tif 000008
【図７】
2012081697.tif 000009
【図８】
2012081697.tif 000010
【図９】
2012081697.tif 000011
【図１０】
2012081697.tif 000012
【図１１】
2012081697.tif 000013
【図１２】
2012081697.tif 000014
【図１３】
2012081697.tif 000015
【図１４】
2012081697.tif 000016